(57)【要約】【課題】  連続する編生地で薄手に形成されて、衣服の外から目立たない着用形態を確保し、且つ簡略な構造を実現しつつ、腰部の動きを制限して腰椎の支持を適切に行える、サポーターを提供する。【解決手段】  帯状の本体部１０に複数配設される伸縮性の小さい支持部１４、・・・、１９や、本体部１０短手方向両端の各端縁部１０ａ、１０ｂに囲まれる、複数の伸縮区画１０ｃ、１０ｄを背部１１に生じさせると共に、一方の端縁部１０ａ寄りの伸縮区画１０ｃと他方の端縁部１０ｂ寄りの伸縮区画１０ｄとをそれぞれ異なる配置とし、この各伸縮区画の配置状態に基づいて、サポーター着用状態での背部１１上下における伸縮の度合いを異ならせることから、背部１１の伸縮状態を腰部背面形状に追随させられ、背部１１を着用者の腰部背面側に適切に当接させて腰部の後屈を抑制でき、腰部の負担を軽減できる。【選択図】  図１
2018090920.tif 000002
【特許請求の範囲】
【請求項１】
腰部に巻き付けて装着される帯状の腰部用サポーターにおいて、
帯状に連続する編生地で形成され、長手方向における伸縮性が当該長手方向と直角となる短手方向の伸縮性より大きい、異方性のある伸縮性を有する本体部と、
当該本体部の長手方向の一端部における表面と他端部における裏面にそれぞれ配設され、腰部への巻付け状態で重なる前記一端部と他端部を係着可能とする係着部と、
前記本体部の前記短手方向の両端でそれぞれ連続する一方の端縁部及び他方の端縁部間を横断する配置として本体部に一体に配設され、本体部における長手方向の伸縮性より小さい伸縮性を有する略線状の複数の支持部とを備え、
前記本体部における長手方向の中間所定範囲部分が、着用者の腰部の背面に当接する背部をなし、
前記支持部が、前記背部における本体部長手方向での背部中心位置の両側所定範囲にわたって配置されると共に、前記中心位置を挟んで対称配置となる、二つの支持部の組を複数組含み、
当該組をなす各支持部が、他の組をなす一又は複数の支持部と交叉しつつ、前記背部に、前記一方及び他方の各端縁部と各支持部、及び各支持部同士に囲まれた多角形の伸縮区画を複数生じさせると共に、背部における一方の端縁部寄りに位置する各伸縮区画と、他方の端縁部寄りに位置する各伸縮区画とで、伸縮区画の数と大きさの少なくとも一方を異ならせるように配置されることを
特徴とするサポーター。
【請求項２】
前記請求項１に記載のサポーターにおいて、
前記支持部が、前記背部中心位置を挟んで対称配置となる前記二つの支持部の組として、前記中心位置における前記一方の端縁部寄りとなる第一の所定箇所で交叉する二つの支持部の組と、前記中心位置における前記他方の端縁部寄りとなる第二の所定箇所で交叉する二つの支持部の組とを、少なくとも有してなることを
特徴とするサポーター。
【請求項３】
前記請求項２に記載のサポーターにおいて、
前記第一の所定箇所で交叉する二つの支持部における、当該各支持部と前記一方の端縁部との交わる箇所と、前記第二の所定箇所で交叉する二つの支持部における、当該各支持部と前記他方の端縁部との交わる箇所とが、本体部の着用者の腰部背面に当接する所定部位にそれぞれ位置し、
前記第一の所定箇所で交叉する二つの支持部における、当該各支持部と前記他方の端縁部との交わる箇所と、前記第二の所定箇所で交叉する二つの支持部における、当該各支持部と前記一方の端縁部との交わる箇所との、少なくとも一方が、本体部の着用者の腰部側面に当接する所定部位に位置することを
特徴とするサポーター。
【請求項４】
前記請求項２又は３に記載のサポーターにおいて、
前記第一の所定箇所で交叉する二つの支持部の、当該各支持部と前記一方の端縁部との交わる二箇所間の本体部長手方向における間隔に対し、前記第二の所定箇所で交叉する二つの支持部の、当該各支持部と前記他方の端縁部との交わる二箇所間の本体部長手方向における間隔を、より広くする配置として、各支持部が配設され、
前記第一の所定箇所で交叉する二つの支持部における、一方の支持部の前記一方の端縁部と交わる箇所又は当該箇所近傍の前記一方の端縁部の所定箇所と、他方の支持部の前記他方の端縁部と交わる箇所又は当該箇所近傍の前記他方の端縁部の所定箇所とを結ぶ線状に配設される第一の他の支持部、及び、前記一方の支持部の前記他方の端縁部と交わる箇所又は当該箇所近傍の前記他方の端縁部の所定箇所と、前記他方の支持部の前記一方の端縁部と交わる箇所又は当該箇所近傍の前記一方の端縁部の所定箇所とを結ぶ線状に配設される第二の他の支持部を、さらに有してなり、
着用状態で前記第一の所定箇所が前記第二の所定箇所より上側となるように着用されることを
特徴とするサポーター。
【請求項５】
前記請求項１ないし４のいずれかに記載のサポーターにおいて、
前記支持部が、本体部に対する片面又は両面の飾り縫いにより形成されることを
特徴とするサポーター。
【請求項６】
前記請求項１ないし５のいずれかに記載のサポーターにおいて、
前記本体部が、編み立て方向を前記長手方向として連続する経編で編み立てられた編生地で形成されると共に、サポーター着用状態で着用者の外側に現れる編生地の表面側編組織と、当該表面の反対側で着用者に面する編生地の裏面側編組織とでそれぞれ緯糸を異ならせたものとされてなり、
本体部をなす編生地の前記表面側編組織の緯糸をマルチフィラメント糸とすることを
特徴とするサポーター。
【発明の詳細な説明】
【技術分野】
【０００１】
本発明は、人体に装着するサポーター（サポートベルトやサポートスリーブ）に関し、特に、帯状の構造を有して腰部を締め付け、腹腔の圧力を高めると共に腰部の後屈の動きを抑制して、身体を動かす際の腰部への負担を軽減する腰部用のサポーターに関する。
【背景技術】
【０００２】
人の身体（上下肢及び胴体）における関節やその近傍の所定範囲に装着されて、装着部位を保持、保護して活動時の負担を軽減するサポーター類は、従来より広く用いられている。
【０００３】
特に、帯状の構造を有して巻き付けることで腰部を締め付けるサポーター類は、圧迫を加えて腹腔内の圧を高めて腰椎を保持、保護すると共に、痛みに繋がる過度の後屈や回旋の動作を制限することで、着用者の日常動作やスポーツに係る動作で腰部を動かす時に、腰部への負担を軽減し、痛みの発生を抑えるものとなっており、様々な形式のものが提案されている。こうした従来の腰部用サポーター類の例として、特開２０００−２７１１５９号公報や特開２００９−２４０７３８号公報に開示されるものがある。
【先行技術文献】
【特許文献】
【０００４】
【特許文献１】特開２０００−２７１１５９号公報
【特許文献２】特開２００９−２４０７３８号公報
【発明の概要】
【発明が解決しようとする課題】
【０００５】
従来の帯状の構造を有する腰部用のサポーター類は、前記特許文献に示されるような構成を有しており、全体として腰に巻き付け可能な柔軟性を有しつつ、背部にあたる生地には、腰部の動きを制限可能な一定の剛性を確保して腰椎を適切に支持可能とするために、所定の剛部材（支柱、ステー）が設けられていた。
【０００６】
従来の腰部用のサポーター類は、こうした剛部材を設けることで、構造が複雑となることに加え、着用者に剛部材による違和感を与えることが避けられないという課題を有していた。
また、剛性を重視するあまり剛部材の強度を高くしすぎると、着用者の腰部背面にこうしたサポーター類を密着させることが難しくなり、着用者の平面状でなく曲がりのある腰部背面からサポーター類の浮きが生じて、却って着用者の腰椎を十分に支持することができなくなるという課題を有していた。
【０００７】
一方、従来のサポーター類で、剛部材を用いずに後屈抑制効果を確保できるように、帯状の本体部分以外に補助的なバンドを設けて締め付け力を強化するものも提案されている。しかしながら、こうしたものは構造がさらに複雑化し、薄く形成することができない分、着用時に外側に着る衣服（アウター）の見た目に悪影響を及ぼすことに加え、着脱が煩わしいものとなり、気軽に使用できないという課題を有していた。
【０００８】
本発明は前記課題を解消するためになされたもので、連続する編生地で薄手に形成されて、衣服の外から目立たない着用形態を確保し、且つ簡略な構造を実現しつつ、腰部に密着して腰部の動きを制限でき、腰椎の支持を適切に行える、サポーターを提供することを目的とする。
【課題を解決するための手段】
【０００９】
本発明に係るサポーターは、腰部に巻き付けて装着される帯状の腰部用サポーターにおいて、帯状に連続する編生地で形成され、長手方向における伸縮性が当該長手方向と直角となる短手方向の伸縮性より大きい、異方性のある伸縮性を有する本体部と、当該本体部の長手方向の一端部における表面と他端部における裏面にそれぞれ配設され、腰部への巻付け状態で重なる前記一端部と他端部を係着可能とする係着部と、前記本体部の前記短手方向の両端でそれぞれ連続する一方の端縁部及び他方の端縁部間を横断する配置として本体部に一体に配設され、本体部における長手方向の伸縮性より小さい伸縮性を有する略線状の複数の支持部とを備え、前記本体部における長手方向の中間所定範囲部分が、着用者の腰部の背面に当接する背部をなし、前記支持部が、前記背部における前記長手方向中心位置の両側所定範囲にわたって配置されると共に、前記中心位置を挟んで対称配置となる、二つの支持部の組を複数組含み、当該組をなす各支持部が、他の組をなす一又は複数の支持部と交叉しつつ、前記背部に、前記一方及び他方の各端縁部と各支持部、及び各支持部同士に囲まれた多角形の伸縮区画を複数生じさせると共に、背部における一方の端縁部寄りに位置する各伸縮区画と、他方の端縁部寄りに位置する各伸縮区画とで、伸縮区画の数と大きさの少なくとも一方を異ならせるように配置されるものである。
【００１０】
このように本発明によれば、帯状の本体部に複数配設される伸縮性の小さい支持部のうち、本体部長手方向での背部中心位置の両側所定範囲にわたって配置されて背部と重なる支持部を、背部の中心位置を挟んで対称配置となる二つの支持部の組を複数組含むものとして配設し、短手方向両端の各端縁部や支持部に囲まれる複数の伸縮区画を背部に生じさせて、背部を支持部と伸縮区画とで伸縮性の異なる状態にすると共に、互いに交叉する各支持部が一方の端縁部寄りの伸縮区画と他方の端縁部寄りの伸縮区画とをそれぞれ異なる配置となし、サポーター着用状態での背部各部における伸縮の度合いを、背部での各伸縮区画の配置状態に基づいて背部上下でも異ならせることにより、腰部背面側の上下で異なる立体的形状に対応させて、背部の伸縮状態を腰部背面形状に追随させられ、背部を着用者の腰部背面側に適切に当接させて腰部の後屈を抑制でき、腰椎を確実に支持して腰部の負担を軽減できる。
【００１１】
また、可撓性を有し、且つわずかに伸縮することで腰部背面に沿う形状をとり得る各支持部が、各伸縮区画の伸縮変形に伴って腰部背面に密着でき、特に背部の中心位置を越えて斜めに本体部を横断するように連続する配置の各支持部が、背部と共に腰部背面を拘束して、腰部の横方向の動きを制限する状態が得られることとなり、腰部の不要な動きを抑えて腰の過剰な捻りに基づく痛みの発生を抑えられる。
【００１２】
さらに、サポーターが支持部を含めた全体で薄型の帯形状とされることで、着用者の腰部の保護性能を確保しつつ簡略な構造としてコストを抑えられると共に、薄型で衣類の下に装着していても目立ちにくく、見た目の違和感を与えることなく着用できる。
【００１３】
また、本発明に係るサポーターは必要に応じて、前記支持部が、前記背部中心位置を挟んで対称配置となる前記二つの支持部の組として、前記中心位置における前記一方の端縁部寄りとなる第一の所定箇所で交叉する二つの支持部の組と、前記中心位置における前記他方の端縁部寄りとなる第二の所定箇所で交叉する二つの支持部の組とを、少なくとも有してなるものである。
【００１４】
このように本発明によれば、本体部における背部と重なるように配置されて対称配置の組をなす支持部を、背部の中心位置における第一の所定箇所で交叉する二つの支持部の組と、中心位置における第二の所定箇所で交叉する二つの支持部の組とを含むものとして配設し、複数の伸縮区画を背部の中心位置について対称に配置しつつ、その配置を一方の端縁部寄りと他方の端縁部寄りとで互いに異なるようにすることにより、これら伸縮区画の配置に基づいて背部上部と下部で伸縮の度合いを異ならせる一方、本体部長手方向には背部の中心位置を挟んで伸縮度合いも対称関係となる状態を得て、背部を腰部背面に対し左右方向に偏り無く均等に当接させることができ、腰椎をバランスよく支持して腰部の負担を確実に抑えられる。また、背部の中心位置で交叉する対称配置の組をなす支持部が腰部背面に左右で均等に密着し、腰部の横方向の動きをバランスよく制限することとなり、腰部の左右方向の不要な動きを効率よく抑えられる。
【００１５】
また、本発明に係るサポーターは必要に応じて、前記第一の所定箇所で交叉する二つの支持部における、当該各支持部と前記一方の端縁部との交わる箇所と、前記第二の所定箇所で交叉する二つの支持部における、当該各支持部と前記他方の端縁部との交わる箇所とが、本体部の着用者の腰部背面に当接する所定部位にそれぞれ位置し、前記第一の所定箇所で交叉する二つの支持部における、当該各支持部と前記他方の端縁部との交わる箇所と、前記第二の所定箇所で交叉する二つの支持部における、当該各支持部と前記一方の端縁部との交わる箇所との、少なくとも一方が、本体部の着用者の腰部側面に当接する所定部位に位置するものである。
【００１６】
このように本発明によれば、本体部を斜めに横断して本体部長手方向での背部中心位置で交叉する配置の各支持部が各端縁部と交わる箇所のうち、支持部同士の交叉部分から離れた方の端縁部と支持部とが交わる箇所を、本体部における着用者の腰部側面に当接する部位に設定することにより、伸びを抑えられた支持部が、腰部側面の一の端縁部所定箇所から本体部の中心位置を越えて他の端縁部に達する広い範囲で腰部を拘束することとなり、腰部に密着する支持部から、腰椎部を中心とするクロス配置のテーピングに相当する締め付け効果を最大限発揮させつつ腰部を保持でき、腰部の回旋に係る不要な動きを抑えて腰部の負担をより一層軽減できる。
【００１７】
また、本発明に係るサポーターは必要に応じて、前記第一の所定箇所で交叉する二つの支持部の、当該各支持部と前記一方の端縁部との交わる二箇所間の本体部長手方向における間隔に対し、前記第二の所定箇所で交叉する二つの支持部の、当該各支持部と前記他方の端縁部との交わる二箇所間の本体部長手方向における間隔を、より広くする配置として、各支持部が配設され、前記第一の所定箇所で交叉する二つの支持部における、一方の支持部の前記一方の端縁部と交わる箇所又は当該箇所近傍の前記一方の端縁部の所定箇所と、他方の支持部の前記他方の端縁部と交わる箇所又は当該箇所近傍の前記他方の端縁部の所定箇所とを結ぶ線状に配設される第一の他の支持部、及び、前記一方の支持部の前記他方の端縁部と交わる箇所又は当該箇所近傍の前記他方の端縁部の所定箇所と、前記他方の支持部の前記一方の端縁部と交わる箇所又は当該箇所近傍の前記一方の端縁部の所定箇所とを結ぶ線状に配設される第二の他の支持部を、さらに有してなり、着用状態で前記第一の所定箇所が前記第二の所定箇所より上側となるように着用されるものである。
【００１８】
このように本発明によれば、第一の所定箇所で交叉する二つの支持部同士の、第一の所定箇所に近い一方の端縁部における間隔を、第二の所定箇所で交叉する二つの支持部同士の、第二の所定箇所に近い他方の端縁部における間隔より小さく詰まったものとすると共に、第一の所定箇所で交叉する二つの各支持部がそれぞれ一方の端縁部と交わる箇所と他方の端縁部と交わる箇所とをそれぞれ結ぶ線状となるようにして、背部を横断する他の支持部をさらに配設し、第一の所定箇所及びこれに近い一方の端縁部が上側になるようにサポーターを着用した状態とすると、小さい間隔の各支持部で細かく分割された伸縮区画が並ぶ背部の一方の端縁部側の伸縮の度合いを、この一方の端縁部側に比べて大きい伸縮区画が並ぶ背部の他方の端縁部側より小さくして、この伸びにくい背部の一方の端縁部側、すなわち背部上部を、背部下部に対し相対的に内方に変形させる状態を生じさせられることにより、背中と連続する腰部上部における背面のくびれ部分に背部上部がより沿いやすく密着可能となり、背部を腰部背面形状に対応させて腰部背面に確実に密着させられ、背面部上の支持部による拘束力を高めて、腰部背面の不要な動きを適切に制限できる。
【００１９】
また、二つの他の支持部は、本体部長手方向に対する傾きが大きく短手方向により近い向きで背面部を横断するものとなっており、本体部を伸長させながら腰部に巻き付けたサポーター着用状態で、他の支持部より上下方向に近い向きとなって、背部中心位置から離れた箇所に対称に配置されることにより、腰部背面を拘束して腰部の縦方向の動きを効率よく制限する状態が得られ、腰の曲げ伸ばしに係る腰部の不要な動きを抑えて、腰部の過剰な前屈や後屈に基づく痛みの発生を防ぎ、腰部のより一層の負担軽減が図れる。
【００２０】
また、本発明に係るサポーターは必要に応じて、前記支持部が、本体部に対する片面又は両面の飾り縫いにより形成されるものである。
【００２１】
このように本発明によれば、支持部が糸の本体部への両面飾り縫い等で形成され、本体部への配置状態で本体部の編生地と縫着一体化して伸縮性を小さくした性質を付与されることにより、簡略な構造で線状に伸縮性の小さい部位を生じさせて、サポーター着用状態で背部の伸縮を適宜制限しつつ腰部背面に密着させることができ、腰部にテーピングを行った場合と同様に腰部の拘束を行える構造をより低コストで得られることとなる。また、支持部を糸の飾り縫い等で形成することで、本体部の厚みをほとんど増加させずに支持部を得ることができ、使用者に違和感を生じさせない。
【００２２】
また、本発明に係るサポーターは必要に応じて、前記本体部が、編み立て方向を前記長手方向として連続する経編で編み立てられた編生地で形成されると共に、サポーター着用状態で着用者の外側に現れる編生地の表面側編組織と、当該表面の反対側で着用者に面する編生地の裏面側編組織とでそれぞれ緯糸を異ならせたものとされてなり、本体部をなす編生地の前記表面側編組織の緯糸を、マルチフィラメント糸とするものである。
【００２３】
このように本発明によれば、本体部の編生地を経編で形成すると共に、経編による編生地で強度を確保するために適度な太さとされる緯糸をマルチフィラメント糸として、緯糸としての十分な強度を確保しつつ、緯糸をなす繊維の一本あたりの太さを小さくすることにより、仮に緯糸をなす繊維端部が編生地外に現れて着用者に当たるような事態に至っても、着用者に対する刺激を弱められると共に、強度のあるマルチフィラメント糸が編生地の裏面側編組織に緯糸として現れないことで、腰部に接するサポーターの触感に悪影響を及ぼすこともなく、サポーター全体として着用感を向上させることができる。
【００２４】
また、編生地の経糸や裏面側編組織の緯糸を細くしたり、糸の本数を減らしても、要部の緯糸をマルチフィラメント糸として強度を確保できることで、編生地の強さを維持しつつ編生地全体としては薄型化が図れることとなり、着用時の目立ちにくさも向上させられる。
【図面の簡単な説明】
【００２５】
【図１】本発明の一実施形態に係るサポーターの展開状態正面図である。
【図２】本発明の一実施形態に係るサポーターの展開状態背面図である。
【図３】本発明の一実施形態に係るサポーターの背部における支持部配置状態説明図である。
【図４】本発明の一実施形態に係るサポーターの着用状態における前部の概略斜視図である。
【図５】本発明の一実施形態に係るサポーターの着用状態における概略側面図である。
【図６】本発明の一実施形態に係るサポーターの着用状態における後部の概略斜視図である。
【図７】本発明の一実施形態に係るサポーターにおける背部上部の着用者への密着状態説明図である。
【図８】本発明の一実施形態に係るサポーターの着用による腹腔圧上昇状態説明図である。
【図９】本発明の一実施形態に係るサポーターの第一の他例における展開状態正面図である。
【図１０】本発明の一実施形態に係るサポーターの第二の他例における展開状態正面図である。
【図１１】本発明の一実施形態に係るサポーターの第二の他例における展開状態背面図である。
【図１２】本発明の一実施形態に係るサポーターの第二の他例における展開状態の平面図及び底面図である。
【図１３】本発明の一実施形態に係るサポーターの第二の他例における展開状態の左側面図及び右側面図である。
【図１４】本発明の一実施形態に係るサポーターの第三の他例における展開状態正面図である。
【図１５】本発明の一実施形態に係るサポーターの第三の他例における展開状態背面図である。
【図１６】本発明の一実施形態に係るサポーターの第三の他例における展開状態の平面図及び底面図である。
【図１７】本発明の一実施形態に係るサポーターの第三の他例における展開状態の左側面図及び右側面図である。
【図１８】本発明の一実施形態に係るサポーターの第四の他例における展開状態正面図である。
【図１９】本発明の一実施形態に係るサポーターの第四の他例における展開状態背面図である。
【図２０】本発明の一実施形態に係るサポーターの第四の他例における展開状態の平面図及び底面図である。
【図２１】本発明の一実施形態に係るサポーターの第四の他例における展開状態の左側面図及び右側面図である。
【図２２】本発明の一実施形態に係るサポーターの第五の他例における展開状態正面図である。
【図２３】本発明の一実施形態に係るサポーターの第五の他例における展開状態背面図である。
【図２４】本発明の一実施形態に係るサポーターの第五の他例における展開状態の平面図及び底面図である。
【図２５】本発明の一実施形態に係るサポーターの第五の他例における展開状態の左側面図及び右側面図である。
【図２６】本発明の一実施形態に係るサポーターの第六の他例における展開状態正面図である。
【図２７】本発明の一実施形態に係るサポーターの第六の他例における展開状態背面図である。
【図２８】本発明の一実施形態に係るサポーターの第六の他例における展開状態の平面図及び底面図である。
【図２９】本発明の一実施形態に係るサポーターの第六の他例における展開状態の左側面図及び右側面図である。
【図３０】本発明に係るサポーターにおける引張力と伸長量との関係について測定した結果のグラフである。
【発明を実施するための形態】
【００２６】
以下、本発明の一実施形態に係るサポーターを前記図１ないし図８に基づいて説明する。
前記各図において本実施形態に係るサポーター１は、帯状に連続する伸縮可能な編生地で形成される本体部１０と、この本体部１０の長手方向の一端部における表面と他端部における裏面にそれぞれ配設される前記係着部としての面ファスナー２０と、本体部１０の伸縮性より小さい伸縮性を有して本体部１０に一体に配設される略線状の複数の支持部１４、１５、１６、１７、１８、１９とを備える構成である。
【００２７】
前記本体部１０は、帯状に連続する編生地で形成され、長手方向Ｌにおける伸縮性がこの長手方向Ｌと直角となる短手方向Ｔの伸縮性より著しく大きい、異方性のある伸縮性を有する構成である。
【００２８】
詳細には、本体部１０は、編み立て方向が編生地の長手方向となるようにして、経編で連続して帯状に編み立てられ、編み立て方向（経方向）の伸縮性をこれと直角となる緯方向の伸縮性より大きくする編生地からなる構成である。そして、この本体部１０をなす編生地において、サポーター着用状態で着用者の外側に現れる編生地の表面（外面）側編組織と、この表面の反対側で着用者に面する編生地の裏面（内面）側編組織とは、それぞれ緯糸を異ならせて編み立てられる。
【００２９】
編生地を構成する糸の使用例について詳しく説明すると、編生地の前記表面側編組織の緯糸は、例えば、５６デシテックスの糸を１０本束ねたマルチフィラメント糸とされ、このマルチフィラメント糸の２本を１組として使用する。また、この緯糸と組み合わせて緯方向に弾性糸が編み込まれる。この弾性糸は、ポリウレタン糸（例えば１８８０デシテックス）にポリエステル糸（例えば８４デシテックス）２本を巻付けた構造とされる。
【００３０】
また、編生地の裏面側編組織の緯糸は、例えば、１６７デシテックスのポリエステル糸が２本１組として用いられる。さらに編生地の経糸としては、例えば１６７デシテックスのポリエステル糸が用いられる。このように、毛羽立ちのない平滑な表面を有するポリエステル糸やポリウレタン糸を用いた編生地構造とすることで、通気性に優れた編生地が得られる。
【００３１】
こうした複数種類の糸を用いて編み立てを行って編生地を形成することで、編み立て方向（経方向）の伸縮性に対しこれと直角となる緯方向の伸縮性を著しく小さくして（例えば、元寸法に対する引張荷重付加時の伸長変化率１％未満）、着用時に締め付け力を分散させずに着用者の身体に適切に作用させられる構造が得られる仕組みである。また、編生地の経方向には適切な伸縮性を与えられ、サポーター１として使用する状態で、着用者の腰の動き（骨盤並びに背骨の動きによる、体の曲げ、反り及び捩れ）に柔軟に対応できる。
【００３２】
特に、編生地は、本体部長手方向となる経方向において引張強度と収縮強度が近い値となっており、伸張力（伸び）と復元力（縮み）が近くなることで、着用時に編生地を伸ばしやすく、着用が容易であり、また、伸張力と同等の適度な復元力により編生地で十分な締め付けも得られ、サポーターとしての保持力も高くできる。
【００３３】
加えて、この本体部１０をなす編生地における表面側編組織の緯糸をマルチフィラメント糸として強度を確保できることで、編生地における経糸や裏面側編組織の緯糸を従来のこの種の編生地より細くしたり、糸の本数を減らしても、編生地の緯方向に折れ難く強い性質を維持でき、編生地全体として薄型化を実現できる。
【００３４】
そして、編生地における緯糸をマルチフィラメント糸として、緯糸としての十分な強度を確保しつつ、緯糸をなす繊維の一本あたりの太さを小さくすることで、仮に緯糸をなす繊維端部が編生地外に現れて着用者に当たるような事態に至っても、繊維の先端は容易に変形し、先端が着用者に突き刺さるようなことはなく、着用者に対する刺激を極めて小さいものとすることができる。
【００３５】
なお、編生地に対しては、緯方向（本体部短手方向）の剛性を高めてさらに折れにくくし、サポーター１着用状態での着用者の着用部分に対する支持力を強化する、樹脂加工を施すようにすることもできる。
【００３６】
本体部１０は、具体的には、経編で編み立てられた１枚の編生地から本体部１０に対応する所定形状に裁断されることで作製される。本体部１０をなす編生地を経編で編み立てて形成することで、編生地を裁断しても編糸が断ち目からほつれにくく、所望の形状への加工が行いやすい。また、本体部１０を、１枚の編生地から裁断して得ることで、複数の生地を組み合わせる場合のような継ぎ目が生じず、型崩れや屈曲が生じにくいものとすることができる。
【００３７】
この本体部１０の縁（断ち目）は、サポーター着用に伴う伸縮を経ても確実にほつれ防止を図るために、バインダーテープ３０で挟み込み縫い付けている。このバインダーテープ３０の縫い付けは、本体部１０の長手方向Ｌの伸縮性を抑制することがないように行われる。なお、このバインダーテープとして、本体部１０とは伸縮の度合いを異ならせたものを採用し、バインダーテープと本体部との組合せ状態を調節することで、サポーター各部の伸縮の度合いを適切なものに調整する構成とすることもできる。
【００３８】
この他、本体部１０の縁（断ち目）に対しては、縁縫いやバイアス縁どり縫い等により、ほつれ防止や装飾を施してもよく、また、本体部１０の縁に樹脂剤を塗布含浸させて、ほつれ防止を図るようにしてもよい。
【００３９】
本体部１０の形状は、その長手方向の中心（中心位置ｃ）を挟んで線対称となるものである。この本体部１０における長手方向の中間所定範囲部分が、着用者の腰部１００の背面に当接する背部１１をなす。また、この背部１１の両側で背部１１から斜め向きに延出して本体部１０の両端部分に至る部位は、延出部１２として、サポーター着用状態で腰部１００の側面から腹部前面に当接する。
【００４０】
本体部１０の短手方向両端には一方の端縁部１０ａと他方の端縁部１０ｂがそれぞれ連続しているが、一方の端縁部１０ａは、本体部１０を、延出部１２の背部１１から延出する向きが斜め上向きとなるようにした配置で、本体部１０における上縁に位置するものであり、背部１１の上辺１１ａと延出部１２の上辺１２ａを含む。逆に、他方の端縁部１０ｂは、前記配置で本体部１０の下縁に位置するものであり、背部１１の下辺１１ｂと延出部１２の下辺１２ｂを含む。サポーター着用の際も、本体部１０における一方の端縁部１０ａが上縁に、他方の端縁部１０ｂが下縁となる向きで着用がなされる。
【００４１】
前記背部１１は、上辺１１ａと下辺１１ｂが略平行をなす略台形状とされ、着用者の骨盤の大きさに対応して骨盤を確実に支持できる大きさとされるものである。
この背部１１を含む本体部１０には、本体部１０の短手方向両端の一方の端縁部１０ａと他方の端縁部１０ｂとの間を横断する配置とされる複数の支持部１４、・・・、１９が、編生地への飾り縫いにより一体に配設されることとなる。背部１１は、この背部１１を通る配置とされる支持部１４、・・・、１９でその伸縮を一部制限される。
【００４２】
この背部１１の両側の延出部１２は、背部１１の両側端部分と連続させて配設され、その下辺１２ｂを、背部１１の下辺１１ｂ端部の略直線状部分に対し上向きに所定角度α（例えば、α＝１４°〜２０°）傾斜させるようにして、背部１１から斜め上向きに延出する形状をなすものである。
【００４３】
一方の端縁部１０ａにおける延出部１２の上辺１２ａと背部１１の上辺１１ａとの連続部分は、湾曲した凹形状となるように形成される。また、一方の端縁部１０ａにおける両端部分、すなわち、延出部１２の上辺１２ａの端部は、下辺１２ｂの延出方向に対応させて、延出部１２が先端に向かって先細状となるような向きに設定される。
【００４４】
なお、一方の端縁部１０ａにおける背部１１の上辺１１ａと延出部１２の上辺１２ａとの連続部分を湾曲した凹形状とするように形成する構成としているが、これに限られるものではなく、他方の端縁部１０ｂにおける背部１１の下辺１１ｂと延出部１２の下辺１２ｂとの連続部分についても湾曲した凹形状となるように形成して、背部１１を延出部１２に対して幅広形状としてもよい。
【００４５】
これら背部１１と延出部１２を含む本体部１０は、その長手方向での背部１１の中心位置ｃである、背部１１の上辺１１ａの中点と下辺１１ｂの中点とを結ぶ線分を対称軸として線対称形状をなすこととなる。ただし、本体部１０はこうした対称形状に限られるものではなく、例えば図９に示すように、非対称形状であってもかまわない。
【００４６】
前記面ファスナー２０は、本体部１０の長手方向の一端部における表面と他端部における裏面にそれぞれ配設され、腰部１００への巻付け状態で重なるこれら表面と裏面を係着可能とするものであり、具体的には、一端部における着用者に面しない表面側に面ファスナー２０のループ面２１が配設され、他端部における着用者に面する裏面側に面ファスナー２０のフック面２２が配設される構成である。
この他、ループ面２１を配設する部位を一端部から他端部に変更すると共に、フック面２２を配設する部位を他端部から一端部に変更するようにしてもよい。
【００４７】
なお、本実施形態においては、係着部として面ファスナー２０を用いる構成について説明しているが、本体部１０の腰部１００への巻付け状態で重なる両端部を係着できるものであれば、係着部は面ファスナーに限られるものではなく、例えば、係着部として、ボタン、ドットボタン、スナップ、フック、尾錠、ファスナー（ジッパー、チャック）、前かん、又は、スピンドルストッパなどを用いてもかまわない。
【００４８】
係着部である面ファスナー２０（ループ面２１、フック面２２）により本体部１０両端を係着させて着用状態とした場合、本体部１０はその両端部分で下辺１２ｂを連続させた配置として係着し、正面視で末広がりの形状となる。
【００４９】
このように、本体部１０の両端部分が係着でその下辺１２ｂを連続させることにより、左右の延出部１２の伸縮方向が前腹部から側腹部にかけて斜め上方に向かい、延出部１２の前部で腹部を下方から押し上げて腹腔１０５の圧力を効率よく高めるようにすることができる。
【００５０】
前記支持部１４、１５、１６、１７、１８、１９は、本体部１０の前記短手方向Ｔの両端でそれぞれ連続する一方の端縁部１０ａ及び他方の端縁部１０ｂ間を横断する、連続的又は断続的な略線状の配置、例えば、直線状、曲線状、破線状、点線状、あるいは、正弦波、矩形波、三角波、又は鋸歯波等の波形の波線状、といった配置として、本体部１０に一体に複数配設され、本体部１０における長手方向の伸縮性より小さい伸縮性を有するものである。具体的には、本体部１０に対する伸縮性に乏しい糸のミシン縫いにより、略線状に配置される片面又は両面の飾り縫い部分として形成される構成である。
この支持部１４、・・・、１９は、本体部１０をなす編生地に対して、例えば、２本針又は３本針のミシンによる片面又は両面の飾り縫いにより形成されることとなる。
【００５１】
支持部１４、１５、１６、１７は、背部１１における本体部長手方向での背部中心位置ｃの両側所定範囲にわたって配置されると共に、中心位置ｃを挟んで対称配置となる、二つの支持部の組（例えば、支持部１４、１５の組、及び支持部１６、１７の組）を複数組含む。これら二つの支持部の組として、中心位置ｃにおける前記一方の端縁部１０ａ寄りとなる第一の所定箇所ｐ１で交叉する二つの支持部の第一の組（支持部１４、１５）と、前記中心位置ｃにおける前記他方の端縁部寄りとなる第二の所定箇所ｐ２で交叉する二つの支持部の第二の組（支持部１６、１７）とがそれぞれ設けられる。
【００５２】
中心位置ｃの第一の所定箇所ｐ１で交叉する前記第一の組をなす二つの支持部１４、１５においては、これら各支持部１４、１５と一方の端縁部１０ａとの交わる箇所が、それぞれ背部１１に位置する。また、これら各支持部１４、１５と他方の端縁部１０ｂとの交わる箇所ｐ３、ｐ４は、本体部１０の着用者の腰部１００側面に当接する所定部位、すなわち、本体部１０における背部１１より外側の部位に位置する。より具体的には、サポーター着用状態で、着用者の腰周りを前後二つに等分割する場合の分割位置とこれより後側所定範囲の体表部位に面する、本体部１０の他方の端縁部１０ｂ所定箇所に位置する。
【００５３】
一方、中心位置ｃの第二の所定箇所ｐ２で交叉する前記第二の組をなす二つの支持部１６、１７においては、これら各支持部１６、１７と他方の端縁部１０ｂとの交わる箇所が、それぞれ背部１１に位置する。また、これら各支持部１６、１７と一方の端縁部１０ａとの交わる箇所ｐ５、ｐ６は、本体部１０の着用者の腰部１００側面に当接する所定部位、すなわち、本体部１０における背部１１より外側の部位に位置する。より具体的には、サポーター着用状態で、着用者の腰周りを前後二つに等分割する場合の分割位置とこれより後側所定範囲の体表部位に面する、本体部１０の一方の端縁部１０ａ所定箇所に位置する。
【００５４】
また、支持部としては、背部１１における本体部長手方向での背部中心位置ｃを挟んで対称配置となるものの、中心位置ｃのいずれでも交叉せず、中心位置ｃから離して配設される二つの他の支持部１８、１９も含まれる。
【００５５】
このうち、第一の他の支持部１８は、第一の組をなす二つの支持部１４、１５における、一方の支持部１４の一方の端縁部１０ａと交わる箇所の近傍となる一方の端縁部１０ａの所定箇所ｐ７と、他方の支持部１５の他方の端縁部１０ｂと交わる箇所ｐ４とを結ぶ線状に配設されるものである。
【００５６】
また、第二の他の支持部１９は、二つの支持部１４、１５における、他方の支持部１５の一方の端縁部１０ａと交わる箇所の近傍となる一方の端縁部１０ａの所定箇所ｐ８と、一方の支持部１４の他方の端縁部１０ｂと交わる箇所ｐ３とを結ぶ線状に配設されるものである。
【００５７】
こうした各支持部１４、・・・、１９は、背部１１に、一方の端縁部１０ａと各支持部１４、・・・、１９に囲まれた多角形の伸縮区画１０ｃを複数生じさせると共に、他方の端縁部１０ｂと各支持部１４、・・・、１９に囲まれた多角形の伸縮区画１０ｄを複数生じさせ、また、各支持部１４、・・・、１９同士に囲まれた多角形の伸縮区画１０ｅを複数生じさせる。
【００５８】
ところで、背部１１において、その中心位置ｃの第一の所定箇所ｐ１と一方の端縁部１０ａとの間隔は、中心位置ｃの第二の所定箇所ｐ２と他方の端縁部１０ｂとの間隔より小さくされる。このため、第一の組をなす二つの支持部１４、１５と、第二の組をなす二つの支持部１６、１７の配置関係は、二つの支持部１４、１５（第一の組）で、各支持部１４、１５と一方の端縁部１０ａとの交わる二箇所間の、本体部長手方向における間隔ｄ１が、二つの支持部１６、１７（第二の組）で、各支持部１６、１７と他方の端縁部１０ｂとの交わる二箇所間の、本体部長手方向における間隔ｄ２より狭くなるものとされる。
【００５９】
これにより、一方の端縁部１０ａ側では、小さい間隔の各支持部１４、・・・、１９で細かく分割された伸縮区画１０ｃが並ぶ状態となり、他方の端縁部１０ｂ側では、一方の端縁部１０ａ側に比べて大きい伸縮区画１０ｄが並ぶ状態となる。そして、背部１１における一方の端縁部１０ａ寄りに位置する各伸縮区画１０ｃは、他方の端縁部１０ｂ寄りに位置する各伸縮区画１０ｄ、１０ｅより、区画の大きさ（面積）が小さくなり、より伸縮しにくいものとなる。
【００６０】
この伸縮しにくい背部１１の一方の端縁部１０ａ側、すなわち背部１１上部は、着用の際に伸張する力を受けて、背部１１下部に対し相対的に内方（身体側）に変形する状態を生じさせることとなり、背部１１上部は腰部１００上部における背面のくびれ部分に密着可能となる。
【００６１】
また、背部１１に他の支持部１８、１９が配設されることにより、サポーター着用状態で、着用者の腰部１００背面の湾曲に沿った背部１１の曲面を維持しつつ、本体部１０の短手方向Ｔにおける背部１１の屈曲を抑制して、背部１１で着用者の腰部１００を保持して後屈を効率よく抑えることができる。
【００６２】
なお、本実施形態において、支持部１４、・・・、１９は、本体部１０の一方の端縁部１０ａと他方の端縁部１０ｂ間を横断する、飾り縫いとして配設する構成としているが、この他に、当て縫い、すなわち、本体部１０に対して、補強目的で別の布地（当て布）等を当てて縫製することにより支持部を形成したり、接着剤、例えば、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、本体部１０に塗布し、フラット型プレス機、ローラー型プレス機などによって加熱及び加圧処理を施すことで、生地に樹脂を固着させることにより支持部を形成することもできる。
【００６３】
なお、支持部１４、・・・、１９は、本体部１０の短手方向Ｔに横断するように配設されて背部１１の伸縮を抑制するものであれば、図１に示すような、配置本数、位置、大きさ及び範囲に限られるものではなく、支持部を本体部１０（背部１１）の材質、形状及び大きさに応じて適宜設定することができる。
【００６４】
次に、前記構成に基づくサポーターの着用及び着用状態での身体への作用について説明する。
サポーター１の着用にあたり、着用者は、まず、サポータ１の両端部を手で支持し、サポーター１の背部１１を着用者の腰部１００背面に当てた上で、表面側に面ファスナー２０のループ面２１のあるサポーター１の左手側を前方に動かし、左側の延出部１２を斜め下に向けて伸ばしながら、着用者の腰部１００に巻回させ、左手でそのまま保持する。続いて、裏面側に面ファスナー２０のフック面２２のあるサポーター１の右手側を前方に動かし、右側の延出部１２を斜め下に向けて伸ばしながら、着用者の腰部１００に巻回させ、さらに延出部１２端部のフック面２２を、左手で保持した左側の延出部１２表面のループ面２１に係着させ、サポータ１を腰周りに固定状態とする。この後、手を離してサポータ全体を身体の表面に沿わせれば着用完了となる。
【００６５】
こうしてサポーター１を着用した状態においては、図４、図５、及び図６に示すように、本体部１０の背部１１が腰椎１０１に対応する着用者の腰部１００背面部分に当接し、本体部１０の背部１１から延出部１２に移り変わる部分が着用者の側腹部に当接し、本体部１０の延出部１２における面ファスナー２０配設部分が着用者の前腹部に当接する。
【００６６】
本実施形態に係るサポーター１においては、各支持部１４、・・・、１９が、背部１１における本体部長手方向での背部中心位置ｃを挟んで対称となる所定の配置状態とされて、背部１１に、一方及び他方の各端縁部１０ａ、１０ｂと各支持部１４、・・・、１９、及び、各支持部１４、・・・、１９同士に囲まれた多角形の伸縮区画１０ｃ、１０ｄ、１０ｅを複数生じさせる。そして、一方の端縁部１０ａ寄りの伸縮区画１０ｃと、他方の端縁部１０ｂ寄りの伸縮区画１０ｄ、１０ｅとをそれぞれ大きさの異なるものとしている。
【００６７】
これに伴い、サポーター着用状態で力が加わった際の背部１１各部における伸縮の度合いを、背部上下で異ならせることができる。すなわち、小さい間隔の各支持部１４、・・・、１９で細かく分割された伸縮区画１０ｃが並ぶ、背部１１の一方の端縁部１０ａ側の伸縮の度合いを、この一方の端縁部側に比べて大きい伸縮区画１０ｄが並ぶ背部１１の他方の端縁部１０ｂ側の伸縮度合いより小さくすることができる。
【００６８】
このため、サポーター着用に伴い、背部１１を腰部１００背面に当てた状態で本体部１０長手方向に伸張力を加えた場合、背部１１の他方の端縁部１０ｂ側、すなわち背部１１の下部は、腰部１００背面下部に沿って伸張し、外方に凸となる湾曲状態となる。これに対し、伸びにくい背部１１の一方の端縁部１０ａ側、すなわち背部１１上部は、背部１１下部に対し相対的に内方に変形する状態を生じさせることとなる。
【００６９】
これにより、背部１１上部が腰部１００上部における背面のくびれ部分により沿いやすく密着可能となるなど、背部１１の伸縮状態を腰部１００の背面形状にもれなく追随させることができ、背部１１を腰部１００背面形状に対応させて腰部１００背面に適切に当接させて腰部１００の後屈を抑制でき、腰椎１０１を確実に支持できる。
【００７０】
仮に、サポーターをなす編生地における長手方向の伸縮性が上下で一様の場合、くびれ部分を含むような三次元曲面形状の腰部１００背面に対し、通常は編生地を腰部１００背面全体に密着させることは難しく、編生地を伸縮性に富むものとした上で、編生地に極めて強い伸張力を与えないと密着させられない。ただし、そのようにして密着させた場合は、もともと編生地と密着しやすい、腰部１００下部（臀部上部）のように外方に凸となる曲面形状部分で、締め付け力が過多となり、締め過ぎで不快な状態となりやすい。
【００７１】
本実施形態では、支持部で伸縮度合いを変えることで、編生地特有の短手方向の伸縮しにくさによる剛性に影響を与えることなく、背部上部に内方への相対変形を生じさせて、編生地を腰部１００上部のくびれに対応させることができる。
【００７２】
一方、可撓性を有し、且つわずかに伸縮することで腰部１００背面に沿う形状をとり得る各支持部１４、・・・、１９が、各伸縮区画１０ｃ、１０ｄ、１０ｅの伸縮変形に伴って腰部１００背面に密着する。
【００７３】
例えば、背部１１の中心位置ｃを越えて斜めに本体部１０を横断するように連続する交叉配置の各支持部１４、１５が、組をなす支持部１４、１５同士の交叉部分（第一の所定箇所ｐ１）から離れた方の端縁部１０ｂと各支持部１４、１５とが交わる箇所ｐ３、ｐ４を、背部１１より外側の本体部１０における着用者の腰部１００側面に当接する部位に設定され、同じく交叉配置の各支持部１６、１７が、組をなす支持部１６、１７同士の交叉部分（第二の所定箇所ｐ２）から離れた方の端縁部１０ａと支持部１６、１７とが交わる箇所ｐ５、ｐ６を、前記同様に本体部１０における着用者の腰部１００側面に当接する部位に設定されることから、支持部１４、１５、１６、１７が、腰部１００側面の一の端縁部所定箇所から背部１１の中心位置ｃを越えて腰部１００背面の他の端縁部に達する広い範囲で腰部１００を拘束することとなる。
【００７４】
これにより、腰部１００に密着する伸びにくい支持部１４、１５、１６、１７から、腰椎部を中心とするクロス配置のテーピングに相当する締め付け効果を最大限発揮させつつ腰部１００を保持して、腰部１００の横方向や斜め方向の動きを制限する状態が得られることとなり、腰部１００の回旋に係る不要な動きを抑えて腰部１００の負担をより一層軽減できる。
【００７５】
また、二つの他の支持部１８、１９は、本体部長手方向に対する傾きが大きく短手方向により近い向きで背面部１１を横断するものとなっており、本体部１０を伸長させながら腰部１００に巻き付けたサポーター着用状態で、他の支持部より上下方向に近い向きとなって、中心位置ｃから離れた箇所に対称に配置されることとなる。こうして、他の支持部１８、１９が、腰椎部近傍への上下配置のテーピング同様に、腰部１００背面を拘束して腰部１００の縦方向の動きを効率よく制限する状態が得られ、腰の曲げ伸ばしに係る腰部１００の不要な動きを抑えて、腰部１００の過剰な前屈や後屈に基づく痛みの発生を防止できる。
【００７６】
この他、サポーター１は、図１に示すように、延出部１２の最上端の位置を背部１１の上辺１１ａの位置より上とし、背部１１の下辺と突出部１２の下辺とのなす角αを、１４°〜２０°としていることで、着用時に延出部１２を斜め下に向けて伸ばしながら腰部１００側面に密着させるようにして巻き付け、係着部である面ファスナー２０により係着させると、腰部及び腹部周りを筒状に取り囲むサポータ１は、その上側の周長に対し下側の周長がより長く、下方に拡開するテーパー形状（正面視では左右の側端で末広がり形状）となる。
【００７７】
このため、サポーター１は、着用者の腰部１００形状に合致して、着用者の腰の動きに伴う位置ずれを起こしにくいものとなる。こうしたサポーター１で、外側から腰周りを保持して、腰部１００に最も負担がかかる後屈の動きを抑制することで、正しい姿勢を保ち、腰椎１０１を安定させて腰痛を緩和できる。
【００７８】
そして、サポーター１では、本体部１０の伸縮力がその長手方向に作用することで、背部１１との間隔を狭めようとする前側の延出部１２が、腹部を下方から押し上げて腹腔１０５の圧力を高め、腹部にある腹筋群や背部にある背筋群に支持される腰椎１０１を内側からも支持して安定化を図れることとなり、腰痛の緩和効果を向上させられる。
【００７９】
また、サポーター１の本体部１０で左右の両側面側から腸骨１０３に圧力を加えて仙腸関節を引き締め、腰椎１０１の土台である仙骨１０２の揺動を抑制し仙腸関節を安定させることで、腰椎１０１への負担を軽減できる。
【００８０】
加えて、本体部１０は、サポーター着用状態で、着用者の腰部１００背面部分に当接する背部１１と、着用者の側腹部から前腹部にかけて当接する延出部１２のいずれにおいても、着用者の肋骨１０４に対応する体表部分より下方に位置することとなる。これにより、本体部１０の背部１１が着用者の腰椎１０１を支持しつつ、本体部１０の延出部１２が肋骨１０４に妨げられることなく腹腔１０５に圧力を付加することができ、腹腔圧を効率よく上昇させられる。
【００８１】
さらに、サポーター１では、本体部１０の延出部１２が着用者の前腹部においても肋骨１０４より下方に位置し、肋骨１０４を押圧しないことから、腰部１００の前屈の動きを阻害せず、着用者に前屈を容易に行わせることができ、日常動作に支障を与えることがない上、着用者の胃を押圧しないため、胃への圧迫感を与えず、サポーターとしての装着感を良好なものとすることができる。
【００８２】
このように、本実施形態に係るサポーターにおいては、帯状の本体部１０に複数配設される伸縮性の小さい支持部１４、・・・、１９のうち、背部１１における本体部長手方向での背部中心位置ｃの両側所定範囲にわたって配置されて背部１１と重なる支持部１４、１５、１６、１７を、中心位置ｃにおける第一の所定箇所ｐ１で交叉する二つの支持部１４、１５の組と、中心位置ｃにおける第二の所定箇所ｐ２で交叉する二つの支持部１６、１７の組とを含むものとして配設し、短手方向両端の各端縁部１０ａ、１０ｂや支持部１４、・・・、１９に囲まれる複数の伸縮区画１０ｃ、１０ｄ、１０ｅを背部１１に生じさせて、背部１１を支持部１４、・・・、１９と伸縮区画１０ｃ、１０ｄ、１０ｅとで伸縮性の異なる状態にすると共に、背部１１の中心位置ｃで交わる対称配置の二つの支持部の組が少なくとも二組存在して、一方の端縁部１０ａ寄りの伸縮区画１０ｃと他方の端縁部１０ｂ寄りの伸縮区画１０ｄとをそれぞれ異なる配置となし、サポーター着用状態での背部１１各部における伸縮の度合いを、背部１１での各伸縮区画の配置状態に基づいて背部１１上下で異ならせることから、腰部１００背面側の上下で異なる立体的形状に対応させて、背部１１の伸縮状態を腰部１００背面形状に追随させられ、背部１１を着用者の腰部１００背面側に適切に当接させて腰部１００の後屈を抑制でき、腰椎を確実に支持して腰部１００の負担を軽減できる。
【００８３】
なお、本実施形態に係るサポーターにおいては、延出部１２が背部１１の両側で背部１１から斜め向きに延出する構成としているが、これに限らず、図９や図１０ないし図１３に示すように、延出部１２が背部１１の両側で背部１１から側方に真っ直ぐ延出する構成とすることもできる。また、延出部１２が背部１１から斜め向きに延出する構成の場合でも、背部１１から斜め上向きに延出する構成に限られるものではなく、図１４ないし図１７に示すように、延出部１２が背部１１から斜め下向きに延出する構成としてもかまわない。
【００８４】
また、前記実施形態に係るサポーターにおいては、第一の組をなす二つの支持部１４、１５と一方の端縁部１０ａとが交わる二箇所の間の、本体部長手方向における間隔ｄ１は、第二の組をなす二つの支持部１６、１７と他方の端縁部１０ｂとが交わる二箇所の間の、本体部長手方向における間隔ｄ２より狭くなるものとされる構成を有しているが、この他、図１８ないし図２１に示すように、前記間隔ｄ１と間隔ｄ２とを同じとするように各支持部を配設する構成とすることもできる。ただし、この場合も、上側の端縁部１０ａ寄りに位置する各伸縮区画１０ｃを、下側の端縁部１０ｂ寄りに位置する各伸縮区画１０ｄ、１０ｅより、区画の大きさ（面積）を小さくして、より伸縮しにくいものとするのが好ましい。
【００８５】
また、前記実施形態に係るサポーターにおいては、背部１１の中心位置ｃにおける第一の所定箇所ｐ１で交叉する前記第一の組をなす二つの支持部１４、１５が、これら各支持部１４、１５と他方の端縁部１０ｂとの交わる箇所ｐ３、ｐ４を、本体部１０の着用者の腰部１００側面に当接する所定部位、すなわち、本体部１０における背部１１より外側の部位に位置させる構成としているが、これに限らず、各支持部１４、１５と他方の端縁部１０ｂとの交わる箇所ｐ３、ｐ４を、図２２ないし図２５に示すように、それぞれ背部１１に位置させる構成とすることもできる。また、この図２２ないし図２５に示すように、各支持部１４、１５と他方の端縁部１０ｂとの交わる箇所ｐ３、ｐ４を、第二の組をなす二つの支持部１６、１７が他方の端縁部１０ｂにそれぞれ交わる箇所と重なるように配置することもできる。
【００８６】
また、前記実施形態に係るサポーターにおいては、それぞれ背部１１における本体部長手方向での背部中心位置ｃの両側所定範囲にわたる（中心位置を跨ぐ）と共に、中心位置ｃを挟んで対称配置となる、二つの支持部の組として、中心位置ｃにおける第一の所定箇所ｐ１で交叉する二つの支持部１４、１５の組と、中心位置ｃにおける第二の所定箇所ｐ２で交叉する二つの支持部１６、１７の組との、計二組を設ける構成としているが、これに限らず、中心位置の所定箇所で交叉する二つの支持部の組を、例えば図２６ないし図２９に示すように、三つ以上の複数組設けるようにして、背部１１の上部（一方の端縁部側）で各支持部が小さい間隔をなすようにする構成とすることもできる。
【００８７】
この場合も、前記実施形態同様、背部１１の上部に各支持部で細かく分割された伸縮区画１０ｃが並ぶことで、この背部１１の上部での伸縮の度合いを、この上部に比べて大きい伸縮区画１０ｄが並ぶ背部１１の下部（他方の端縁部側）より小さくして、この伸びにくい背部１１の上部を、背部１１下部に対し相対的に内方に変形させる状態を生じさせることができる。
【実施例】
【００８８】
本発明のサポーターにおいて、背部における本体部長手方向での背部中心位置の両側所定範囲にわたる複数の支持部の配設により、背部上下に伸縮度合いの差異が生じるか否かについて、本体部長手方向に引張力を加えてサポーターを伸長させた場合の、サポーター上下に加わる力の大きさと上下各部の伸長量をそれぞれ測定して検証、評価した。
【００８９】
測定対象となるサポーターとして、前記実施形態同様に、編生地を経編で編み立て、編生地の編み立て方向をサポーターの長手方向として、編生地１枚で本体部を形成し、合わせて支持部を設けて、サポーターを製作した。そして、このサポーターにおける背部上部（上辺から短手方向に５０ｍｍ幅の範囲部分）と下部（下辺から短手方向に５０ｍｍ幅の範囲部分）のそれぞれについて、引張試験機によりサポーターの長手方向に引張力を加えて、伸長量があらかじめ複数設定された所定値に達するごとに、その際の引張力を測定し記録した。
【００９０】
詳細には、引張試験機でサポーターを掴む位置を、無変形状態のサポーターの背部の中心位置（ｃ）から左右（長手方向）に等距離離れた位置で、且つ互いの間隔が１００ｍｍとなる二箇所にそれぞれ設定し、この掴んだ二箇所を引張速度が３００ｍｍ／分となるように徐々に離隔させて、掴み位置間隔の変化、すなわち、背部上部又は下部の伸長量、が２ｍｍ増加するごとに、付加されている引張力の大きさを測定した。
測定結果を表１に示す。なお、表１中、「上」は、サポーターの背部上部を測定対象としたものであり、「下」は、サポーターの背部下部を測定対象としたものである。
【００９１】
【表１】
2018090920.tif 000003
【００９２】
また、前記表１で示したサポーターにおける背部上下の伸長量と引張力との関係をプロットしたグラフを図３０に示す。図３０のグラフにおける横軸は伸長量（単位：ｍｍ）、縦軸は引張力（単位：Ｎ）である。
【００９３】
前記表１及び図３０によれば、各伸長量到達時点ごとの引張力の大きさの測定結果は、サポーターの背部下部についてのものに対し、背部の上部についてのものがいずれも大きい。これら測定結果から、所定の伸長量を生じさせるために加える引張力の大きさは背部上下で異なり、上下で同じ伸長量を生じさせるためには、上部で下部より大きな引張力を加えることが必要であるとわかる。これは、背部上下で同じ引張力を与えた場合には、下部でより大きい伸長量が得られることを示している。
【００９４】
サポーターの通常の着用状態では、左右の延出部を通じて背部に伝わる本体部長手方向への引張力は背部の上下で同様に加わることから、背部下部の伸長量が背部上部より大きくなる、すなわち、背部上部の伸長量が背部下部に対し相対的に抑えられることとなる。
【００９５】
そして、このサポーター着用状態では、本体部長手方向に伸張させる力を受けながら、腰部背面下部に沿って外方に凸となる湾曲状態にある背部下部に対し、背部上部は伸びを抑えられて下部の変形に追随できない分、湾曲の内方に相対的に変位することは明白であり、結果として背部上部は腰部上部における背面のくびれ部分に沿った状態に至ることがわかる。
【００９６】
このように、本発明によれば、サポーターをなす本体部の背部への複数の支持部の配設で、各支持部で分割された複数の伸縮区画を生じさせると共に、背部上部（一方の端縁部寄り）の複数の伸縮区画を、背部下部（他方の端縁部寄り）の伸縮区画より小さくしたものとして、この背部上部における伸縮の度合いを背部下部の伸縮の度合いより小さく抑えた状態を得ていることで、サポーター着用状態で背部上部を下部に対し内方に相対変形させて、この背部上部を腰部上部背面のくびれ部分に沿わせて密着させることができる。従って、背部全体の伸縮状態を腰部背面形状にもれなく追随させて確実に背部を腰部背面に当接させられ、この本発明のサポーターで腰部を適切に支持できることは明らかである。
【符号の説明】
【００９７】
１                      サポーター
１０                    本体部
１０ａ、１０ｂ          端縁部
１０ｃ、１０ｄ、１０ｅ  伸縮区画
１１                    背部
１１ａ                  上辺
１１ｂ                  下辺
１２                    延出部
１２ａ                  上辺
１２ｂ                  下辺
１４、１５              支持部
１６、１７              支持部
１８、１９              支持部
２０                    面ファスナー
２１                    ループ面
２２                    フック面
３０                    バインダーテープ
１００                  腰部
１０１                  腰椎
１０２                  仙骨
１０３                  腸骨
１０４                  肋骨
１０５                  腹腔
Ｌ                      長手方向
Ｔ                      短手方向
【図１】
2018090920.tif 000004
【図２】
2018090920.tif 000005
【図３】
2018090920.tif 000006
【図４】
2018090920.tif 000007
【図５】
2018090920.tif 000008
【図６】
2018090920.tif 000009
【図７】
2018090920.tif 000010
【図８】
2018090920.tif 000011
【図９】
2018090920.tif 000012
【図１０】
2018090920.tif 000013
【図１１】
2018090920.tif 000014
【図１２】
2018090920.tif 000015
【図１３】
2018090920.tif 000016
【図１４】
2018090920.tif 000017
【図１５】
2018090920.tif 000018
【図１６】
2018090920.tif 000019
【図１７】
2018090920.tif 000020
【図１８】
2018090920.tif 000021
【図１９】
2018090920.tif 000022
【図２０】
2018090920.tif 000023
【図２１】
2018090920.tif 000024
【図２２】
2018090920.tif 000025
【図２３】
2018090920.tif 000026
【図２４】
2018090920.tif 000027
【図２５】
2018090920.tif 000028
【図２６】
2018090920.tif 000029
【図２７】
2018090920.tif 000030
【図２８】
2018090920.tif 000031
【図２９】
2018090920.tif 000032
【図３０】
2018090920.tif 000033